(57)【要約】【課題】簡単な構造で、クローラフレームを着脱する際に容易に取り扱うことができ、かつ、コンパクトに格納可能な着脱用治具を備えたクローラ式建設機械及びクローラの取付方法を提供する。【解決手段】下部走行体を、旋回ベアリングを有するトラックフレームと、該トラックフレームの両側に着脱可能に設けられる左右一対のクローラフレーム２３と、各クローラフレームにそれぞれ装着したクローラ２２と、各クローラフレームを車幅方向にそれぞれ拡縮させる左右一対のスパンナシリンダ２８とで構成したクローラ式建設機械において、クローラフレームを着脱する使用時にスパンナシリンダとクローラフレームとの間を中継し、不使用時にはクローラフレームの外側面に沿わせた格納位置に格納される延長リンク３４を備えている。【選択図】図３
2020006809.tif 000002
【特許請求の範囲】
【請求項１】
下部走行体の上に旋回ベアリングを介して上部旋回体を旋回可能に設け、前記下部走行体を、前記旋回ベアリングを有するトラックフレームと、該トラックフレームの両側に着脱可能に設けられる左右一対のクローラフレームと、各クローラフレームにそれぞれ装着したクローラと、各クローラフレームを車幅方向にそれぞれ拡縮させる左右一対のスパンナシリンダとで構成したクローラ式建設機械において、前記クローラフレームを着脱する使用時に前記スパンナシリンダと前記クローラフレームとの間を中継し、不使用時には前記クローラフレームの外側面に沿わせた格納位置に格納される延長リンクを備えていることを特徴とするクローラ式建設機械。
【請求項２】
前記延長リンクは、前記格納位置において、前記スパンナシリンダと前記クローラフレームとを連結した状態に保持する連結ピンに係合可能なピン挿通孔を有していることを特徴とする請求項１記載のクローラ式建設機械。
【請求項３】
下部走行体の上に旋回ベアリングを介して上部旋回体を旋回可能に設け、前記下部走行体を、前記旋回ベアリングを有するトラックフレームと、該トラックフレームの両側に着脱可能に設けられる左右一対のクローラフレームと、各クローラフレームにそれぞれ装着したクローラと、各クローラフレームを車幅方向にそれぞれ拡縮させる左右一対のスパンナシリンダとで構成し、前記クローラフレームを着脱する使用時に前記スパンナシリンダと前記クローラフレームとの間を中継し、不使用時には前記クローラフレームの外側面に沿わせた格納位置に格納される延長リンクを備えているクローラ式建設機械におけるクローラの取付方法において、前記スパンナシリンダを短縮させた状態で、前記延長リンクの一端部と前記スパンナシリンダの先端部とを作業用連結ピンで連結する段階と、前記スパンナシリンダを伸長させた後、前記クローラフレームの連結部と前記延長リンクの他端部とを格納用連結ピンで連結する段階と、前記スパンナシリンダを短縮させた後、前記格納用連結ピンによる前記クローラフレームと前記延長リンクとの連結を解除する段階と、前記スパンナシリンダを伸長させた後、前記作業用連結ピンによる前記延長リンクと前記スパンナシリンダとの連結を解除する段階と、前記延長リンクを前記格納位置に前記格納用連結ピンで固定する段階とを順に行うことを特徴とするクローラ式建設機械におけるクローラの取付方法。
【発明の詳細な説明】
【技術分野】
【０００１】
本発明は、クローラ式建設機械及びクローラの取付方法に関し、詳しくは、クローラの着脱を容易にする着脱用治具を備えたクローラ式建設機械及びクローラの取付方法に関する。
【背景技術】
【０００２】
大型のクローラ式建設機械、例えば大型杭打機では、輸送時における重量制限のため、下部走行体のトラックフレームからクローラフレームを取り外して別々に輸送し、現場でこれらを組み立てて使用している。このため、クローラの着脱を容易に行えるように簡便なピン式連結構造を採用している（例えば、特許文献１参照。）。
【０００３】
クローラを着脱する際には、クローラフレームをクレーンの吊りワイヤで支持した状態で、トラックフレームのアクスルに沿ってスパンナシリンダを伸縮させてクローラフレームを外側に押し出したり、内側に引き込んだりすることにより、クローラフレームがトラックフレームのアクスルに対して係脱可能に構成されている（例えば、特許文献２参照。）。
【０００４】
ところが、上述の大型杭打機では、スパンナシリンダの先端部とクローラフレームの連結部との間に所定長さのリンクを介在させていることから、リンクの連結やその解除を行うときに、クローラフレームの内側に潜り込んで作業する必要があり、作業性を低下させる原因となっていた。そこで、クローラを着脱する際に、クローラフレームの内側に潜り込まずに外側から作業可能な専用治具が開発されている（例えば、特許文献３参照。）。
【先行技術文献】
【特許文献】
【０００５】
【特許文献１】特開平９−３１５３５２号公報
【特許文献２】特開２０１７−２０２９９号公報
【特許文献３】特開２０１８−１９５９号公報
【発明の概要】
【発明が解決しようとする課題】
【０００６】
しかし、特許文献３に記載された着脱用治具は、長尺のブラケットロッドと、これに係合可能なブラケットフランジとを互いの位置を調節して組み合わせ、複数のボルトを用いてクローラフレームに固定するため、作業が煩雑で時間がかかり、しかも不使用時には適当な保管場所がなく、着脱用治具を紛失し易いという問題があった。
【０００７】
そこで本発明は、簡単な構造で、クローラフレームを着脱する際に容易に取り扱うことができ、かつ、コンパクトに格納可能な着脱用治具を備えたクローラ式建設機械及びクローラの取付方法を提供することを目的としている。
【課題を解決するための手段】
【０００８】
上記目的を達成するため、本発明のクローラ式建設機械は、下部走行体の上に旋回ベアリングを介して上部旋回体を旋回可能に設け、前記下部走行体を、前記旋回ベアリングを有するトラックフレームと、該トラックフレームの両側に着脱可能に設けられる左右一対のクローラフレームと、各クローラフレームにそれぞれ装着したクローラと、各クローラフレームを車幅方向にそれぞれ拡縮させる左右一対のスパンナシリンダとで構成したクローラ式建設機械において、前記クローラフレームを着脱する使用時に前記スパンナシリンダと前記クローラフレームとの間を中継し、不使用時には前記クローラフレームの外側面に沿わせた格納位置に格納される延長リンクを備えていることを特徴としている。
【０００９】
また、前記延長リンクは、前記格納位置において、前記スパンナシリンダと前記クローラフレームとを連結した状態に保持する連結ピンに係合可能なピン挿通孔を有していることを特徴としている。
【００１０】
さらに、本発明のクローラの取付方法は、下部走行体の上に旋回ベアリングを介して上部旋回体を旋回可能に設け、前記下部走行体を、前記旋回ベアリングを有するトラックフレームと、該トラックフレームの両側に着脱可能に設けられる左右一対のクローラフレームと、各クローラフレームにそれぞれ装着したクローラと、各クローラフレームを車幅方向にそれぞれ拡縮させる左右一対のスパンナシリンダとで構成し、前記クローラフレームを着脱する使用時に前記スパンナシリンダと前記クローラフレームとの間を中継し、不使用時には前記クローラフレームの外側面に沿わせた格納位置に格納される延長リンクを備えているクローラ式建設機械におけるクローラの取付方法において、前記スパンナシリンダを短縮させた状態で、前記延長リンクの一端部と前記スパンナシリンダの先端部とを作業用連結ピンで連結する段階と、前記スパンナシリンダを伸長させた後、前記クローラフレームの連結部と前記延長リンクの他端部とを格納用連結ピンで連結する段階と、前記スパンナシリンダを短縮させた後、前記格納用連結ピンによる前記クローラフレームと前記延長リンクとの連結を解除する段階と、前記スパンナシリンダを伸長させた後、前記作業用連結ピンによる前記延長リンクと前記スパンナシリンダとの連結を解除する段階と、前記延長リンクを前記格納位置に前記格納用連結ピンで固定する段階とを順に行うことを特徴としている。
【発明の効果】
【００１１】
本発明によれば、クローラ着脱用治具として用いる延長リンクが、不使用時にはクローラフレームの外側面に沿わせた格納位置に格納されるので、延長リンクを紛失するといった問題の発生を防止することができる。また、延長リンクが、格納位置において、スパンナシリンダとクローラフレームとを連結した状態に保持する連結ピンに係合可能なピン挿通孔を有しているので、別途に格納部を設ける必要がなく、延長リンクの格納を簡単な構造で容易に行うことができる。
【図面の簡単な説明】
【００１２】
【図１】本発明の一形態例を示す杭打機の側面図である。
【図２】トラックフレームから一方のクローラフレームを着脱する状態を示す側面図である。
【図３】延長リンクをクローラフレームの外側面に沿わせて格納した状態を示す要部側面図である。
【図４】図３のＩＶ−ＩＶ断面図である。
【図５】図３のＶ−Ｖ断面図である。
【図６】スパンナシリンダの先端部に延長リンクを取り付けた状態を示す正面図である。
【図７】同じく平面図である。
【図８】スパンナシリンダを伸長させて延長リンクとクローラフレームとを連結した状態を示す正面図である。
【図９】同じく平面図である。
【図１０】スパンナシリンダを短縮させてクローラフレームを内側に引き込んだ状態を示す正面図である。
【図１１】同じく平面図である。
【図１２】スパンナシリンダを伸長させて延長リンクをクローラフレームの外側に移動させた状態を示す正面図である。
【図１３】同じく平面図である。
【発明を実施するための形態】
【００１３】
図１乃至図１３は、本発明のクローラ式建設機械を示すもので、図１は、クローラ式建設機械の一つである大型杭打機の作業状態を示している。杭打機１１は、下部走行体１２及び該下部走行体１２の上部に旋回可能に設けられた上部旋回体１３からなるベースマシン１４と、上部旋回体１３の前部に着脱可能に設けられたリーダブラケット１５と、該リーダブラケット１５の前端部に起伏可能に設けられたリーダ１６と、リーダブラケット１５の両側面に設けられた左右一対のフロントジャッキ１７と、上部旋回体１３の後部に設けられた左右一対のアウトリガジャッキ１８と、リーダ１６を上部旋回体１３の後部から支持する左右一対のバックステー１９と、上部旋回体１３の後部上方に設けられた起伏可能なガントリ２０とを備えている。
【００１４】
リーダ１６の前面には、オーガなどの作業装置（図示せず）がリーダ１６に沿って昇降可能に設けられており、上部旋回体１３に搭載した複数のウインチドラム（図示せず）にそれぞれ巻回した各ワイヤを巻き取ったり、巻き出したりするとともに、上部旋回体１３に搭載した油圧ユニット（図示せず）を作動させることにより、作業装置の昇降を含めた各種作業を行うようにしている。
【００１５】
このような杭打機１１を輸送する際には、重量や大きさに応じて複数に分解されてトレーラなどの複数の輸送車にそれぞれ積載される。まず、上部旋回体１３からは、リーダ１６、バックステー１９、ガントリ２０など、掘削作業に必要な作業機器が取り外される。そして、ベースマシン１４を輸送するため、図２に示すように、嵩上げ用のスペーサ２１を装着したフロントジャッキ１７及びアウトリガジャッキ１８をそれぞれ伸長させてベースマシン１４を上昇させ、クローラ２２を含むクローラフレーム２３をクレーンの吊りワイヤ２４で支持し、下部走行体１２において、トラックフレーム２５と、左右のクローラフレーム２３とを分離することにより、下部走行体１２からクローラ２２を取り外す作業が行われる。
【００１６】
下部走行体１２は、旋回ベアリング２６を有する前記トラックフレーム２５と、該トラックフレーム２５の前後に設けられた前後一対のアクスル２７，２７と、該アクスル２７，２７の両端部に、アクスル２７の長さ方向にスライド可能に支持された左右一対のクローラフレーム２３と、該クローラフレーム２３をアクスル２７に沿って拡縮させる左右一対のスパンナシリンダ２８とを備えている。クローラ２２は、クローラフレーム２３の後端に設けたスプロケットホイール（駆動輪）２９と、前端に設けたアイドラホイール（従動輪）３０と、クローラフレーム２３の周囲に設けた複数のトラックローラ（転輪）３１とに巻回されている。
【００１７】
クローラフレーム２３は、前記アクスル２７を挿通可能な前後一対のアクスル挿通孔２３ａ，２３ａと、これらの中間部に設けられ、前記スパンナシリンダ２８を挿通可能なシリンダ挿通孔２３ｂとを有している。そして、アクスル２７の先端に設けた二股状のクローラ装着部２７ａをアクスル挿通孔２３ａに挿通するとともに、スパンナシリンダ２８の先端に軸支したブラケット３２をシリンダ挿通孔２３ｂに挿通した状態で、設定位置にそれぞれピン結合されている。
【００１８】
前記シリンダ挿通孔２３ｂの壁面には、図３乃至図５に示すように、左右端がクローラフレーム２３の両側に突出した前後一対の連結部２３ｃ，２３ｃが設けられており、該連結部２３ｃ，２３ｃを前記ブラケット３２の前後両端部にそれぞれ差し込み、クローラフレーム２３の外側部において、互いの重合部に設けたピン挿通孔２３ｄ，３２ａに格納用連結ピン３３，３３をそれぞれ挿通することにより、スパンナシリンダ２８とクローラフレーム２３とが格納用連結ピン３３を介して互いに連結されている。
【００１９】
また、クローラフレーム２３の外側部には、クローラ着脱用治具として用いる一組の延長リンク３４，３４及びこれに付属する作業用連結ピン３５，３５がそれぞれ着脱可能に設けられている。各延長リンク３４，３４は、長手方向の３箇所（両端部とその間の１箇所）にピン挿通孔３４ａ，３４ｂ，３４ｃを有した板状部材からなり、ピン挿通孔３４ａ，３４ｂの互いの位置関係は、格納用連結ピン３３のピン間距離Ｌに対応している。これにより、各延長リンク３４，３４をブラケット３２の上面に積み重ね、ピン挿通孔３４ａ，３４ｂに格納用連結ピン３３をそれぞれ挿通すると、ピン先端部がピン挿通孔２３ｄ，３２ａを貫通するとともに、取っ手部３３ａで格納用連結ピン３３の抜け落ちが規制される。
【００２０】
一方、格納用連結ピン３３を抜いてスパンナシリンダ２８とクローラフレーム２３との連結を解除すれば、延長リンク３４の固定も解除され、クローラ２２の着脱作業を行うことが可能になる。その際に、クローラフレーム２３の外側面に設けたピン収納部２３ｅから作業用連結ピン３５が取り出される。ここで、以下では、輸送時に分離したクローラ２２を、延長リンク３４を用いてトラックフレーム２５に装着する手順について、図６乃至図１３を参照しながら説明する。
【００２１】
まず、図６及び図７に示すように、スパンナシリンダ２８を短縮させた状態で、作業用連結ピン３５を用いて２本の延長リンク３４，３４の一端部をブラケット３２上面の前後両端部にそれぞれ取り付ける。このとき、延長リンク３４、クローラ装着部２７ａ及びその先端の回動リンク２７ｂをそれぞれ適宜に回動させて、外方向に延ばした状態にする。次いで、クローラフレーム２３をクレーンの吊りワイヤ２４で支持してトラックフレーム２５の真横に移動させた後、前後方向及び上下方向に位置を調節しながらクローラフレーム２３を徐々にトラックフレーム２５に近づけてゆく。
【００２２】
次いで、図８及び図９に示すように、スパンナシリンダ２８を伸長させて、延長リンク３４の先端部をシリンダ挿通孔２３ｂの前後壁面に沿って通過させる。次いで、格納用連結ピン３３を用いて延長リンク３４の先端部を連結部２３ｃに取り付ける。このとき、各連結ピン３３，３５は、延長リンク３４における両端部のピン挿通孔３４ａ，３４ｃにそれぞれ挿通されている。また、クローラ装着部２７ａは、回動リンク２７ｂをアクスル挿通孔２３ａ内に止めている。
【００２３】
次いで、図１０及び図１１に示すように、スパンナシリンダ２８を短縮させて、クローラフレーム２３を内側に引き込み、アクスル挿通孔２３ａから突出した回動リンク２７ｂを回動ピン３６まわりに外側に回動させた後、固定ピン３７でクローラフレーム２３の取付部２３ｆに回動リンク２７ｂを取り付ける。次いで、格納用連結ピン３３を抜いてスパンナシリンダ２８を伸長させると、図１２及び図１３に示すように、延長リンク３４がクローラフレーム２３の外側に移動するので、作業用連結ピン３５を抜いて延長リンク３４を取り外す。最後に、延長リンク３４をブラケット３２の上面に積み重ねた後、格納用連結ピン３３で延長リンク３４を格納位置に固定するとともに、作業用連結ピン３５をピン収納部２３ｅに戻すことにより、クローラ２２の装着が完了する（図３乃至図５）。この結果、延長リンク３４がクローラフレーム２３の外側面に沿った格納位置に固定され、かつ、スパンナシリンダ２８とクローラフレーム２３とが連結された状態となる。一方、トラックフレーム２５からクローラ２２を分離する際には、上述の手順と逆の手順を行う。
【００２４】
このように、クローラ着脱用治具として用いる延長リンク３４が、不使用時にはクローラフレーム２３の外側面に沿わせた格納位置に格納されるので、延長リンク３４を紛失するといった問題の発生を防止することができる。また、延長リンク３４が、格納位置において、スパンナシリンダ２８とクローラフレーム２３とを連結した状態に保持する格納用連結ピン３３に係合可能なピン挿通孔３４ａ，３４ｂを有しているので、別途に格納部を設ける必要がなく、延長リンク３４の格納を簡単な構造で容易に行うことができる。
【００２５】
なお、本発明は、前記形態例に限定されるものでなく、クローラの着脱に２本の延長リンクを用いて構成したが、１本で構成してもよい。また、延長リンクの長さやピン挿通孔の数も任意であり、特定の機種に対応する追加のピン挿通孔を設けて部品共通化を図ってもよい。さらに、クローラフレームに対してスパンナシリンダやブラケットが挿通可能な構成であれば、クローラフレームにおける連結部の形状やその取付位置を適宜に変更することができる。加えて、簡素な構成として、スパンナシリンダの先端にブラケットを設けずに、直接に延長リンクを取り付ける構成も可能である。
【符号の説明】
【００２６】
１１…杭打機、１２…下部走行体、１３…上部旋回体、１４…ベースマシン、１５…リーダブラケット、１６…リーダ、１７…フロントジャッキ、１８…アウトリガジャッキ、１９…バックステー、２０…ガントリ、２１…スペーサ、２２…クローラ、２３…クローラフレーム、２３ａ…アクスル挿通孔、２３ｂ…シリンダ挿通孔、２３ｃ…連結部、２３ｄ…ピン挿通孔、２３ｅ…ピン収納部、２３ｆ…取付部、２４…吊りワイヤ、２５…トラックフレーム、２６…旋回ベアリング、２７…アクスル、２７ａ…クローラ装着部、２７ｂ…回動リンク、２８…スパンナシリンダ、２９…スプロケットホイール、３０…アイドラホイール、３１…トラックローラ、３２…ブラケット、３２ａ…ピン挿通孔、３３…格納用連結ピン、３３ａ…取っ手部、３４…延長リンク、３４ａ，３４ｂ，３４ｃ…ピン挿通孔、３５…作業用連結ピン、３６…回動ピン、３７…固定ピン
【図１】
2020006809.tif 000003
【図２】
2020006809.tif 000004
【図３】
2020006809.tif 000005
【図４】
2020006809.tif 000006
【図５】
2020006809.tif 000007
【図６】
2020006809.tif 000008
【図７】
2020006809.tif 000009
【図８】
2020006809.tif 000010
【図９】
2020006809.tif 000011
【図１０】
2020006809.tif 000012
【図１１】
2020006809.tif 000013
【図１２】
2020006809.tif 000014
【図１３】
2020006809.tif 000015